(57)【特許請求の範囲】
【請求項１】
中央に穴部を有し、表面に前記穴部の周りに環状の情報記録領域を有するディスク状基板と、前記穴部に治具により嵌合されるハブとを備え、ディスク状基板が、ハブの周りにハブから離れて点在し機械的接触により位置決め部材を案内する少なくとも２つの起伏部を有するディスク状情報記録媒体を製作するためのハブ取り付け装置であって、ディスク状基板を固定する支持台と、固定されたディスク状基板に機械的に接触しながら移動してディスク状基板表面の起伏部に嵌合する位置決め部材と、位置決め部材に沿って移動してディスク状基板にハブを取り付けるハブ固定部材とを備えるハブ取り付け装置。
【発明の詳細な説明】
【０００１】
【発明の属する技術分野】
本発明は光ディスク、光磁気ディスク、相変化型光ディスクに代表される、情報トラックが形成された原盤、および、スタンパを用い、該情報トラックを転写することによってディスク状基板を得るディスク状情報記録媒体、および、該ディスク状情報記録媒体を作製するための原盤、スタンパ、スタンパ打ち抜き装置および、該ディスク状情報記録媒体にハブを取り付けるためのハブ取り付け装置に関するものである。
【０００２】
【従来の技術】
ディスク基板上に透明誘電体層、磁性膜層、反射膜層などを形成してなる光ディスク媒体、光磁気記録媒体、相変化媒体等のディスク状情報記録媒体においては、ディスクの回転数を高める目的で、中心穴部にハブを嵌合し紫外線硬化樹脂等で接着する方法が広く用いられている。
従来の光磁気記録媒体の作製方法を例に、ディスク状情報記録媒体の作製方法について図２２から図２６に基づいて説明すれば、以下のとおりである。
【０００３】
図２２は、従来の光磁気記録媒体の斜視模式図である。従来のディスク状情報記録媒体は、射出成形法により成形されたポリカーボネート等の樹脂からなるディスク状基板１０１上に、案内溝またはピット列によって形成された情報記録領域１０２を有しており、案内溝にレーザー光を集光照射することにより、情報の記録再生が行われる。
【０００４】
図２３は、従来の光磁気記録媒体を作製するためのディスク原盤の斜視模式図である。ディスク原盤の基材１１０は石英ガラスやソーダライムガラス等からなり、これらの基材に感光性レジストを塗布し、所望の案内溝またはピット列を露光、現像し情報記録領域１０２を形成することにより作製される。
上記ディスク原盤に電極膜として、Ｎｉ、Ｔａ等の金属膜を成膜した後、Ｎｉメッキ浴を用いて電鋳を行い、Ｎｉスタンパが作製される。
【０００５】
上記Ｎｉスタンパは、通常０．２ｍｍから０．５ｍｍ程度の厚さに形成され、上記ディスク原盤に形成された案内溝、またはピット列が転写される。
上記Ｎｉスタンパをディスク状基板１０１を成形するための射出成形機の形状に合わせて、内径および外径の打ち抜きを行った後、射出成形機に取り付け、ポリカーボネート等の樹脂を溶融して、成形金型に流し込み、ディスク状基板１０１を成形する。
さらに、上記ディスク状基板１０１にスパッタ装置等の成膜装置を用いて、誘電体膜、磁性金属膜、および反射膜等の成膜を行い、膜を保護するためのバックコート樹脂を塗布することにより、光磁気記録媒体が形成される。
【０００６】
図２４に示すように、上記光磁気記録媒体に取り付けられるハブ１０８は、鍔部を有するものが使用されることが多く、該鍔部と上記ディスク状基板１０１とが接触する位置に、紫外線硬化樹脂または熱硬化樹脂等が塗布されて接着される。
【０００７】
ここで、従来の方法では、ハブ１０８取付け後のディスク状基板１０１の回転中心と、該ディスク状基板１０１上に形成された案内溝またはピット列からなる情報記録領域１０２との回転中心とを一致させ、ディスク状情報記録媒体の偏心を小さくする目的で、光学的手段を用いて案内溝またはピット列の位置を検出し、ハブ１０８との位置合わせを行う方法が用いられる。
【０００８】
図２５、図２６には、従来用いられているハブ取付け装置の概略図を示す。
図２５、図２６に示すように従来のハブ取付け装置は、ディスク支持台１０５、ハブ固定部材１０６からなり、ハブ固定部材１０６にハブ１０８が保持されている。
紫外線硬化樹脂を用いてハブ１０８の取付けが行われる場合、あらかじめ、ディスク状基板のハブ取り付け部（鍔部対向位置）に紫外線硬化樹脂が塗布される。
【０００９】
上記の紫外線硬化樹脂を塗布したディスク状基板１０１を上記ディスク支持台１０５上で光学的な中心位置合わせを行い、案内溝またはピット列の回転中心位置と、ハブ１０８の中心位置とを一致させた後、ハブ固定部材１０６を降下させて、ハブ１０８をディスク状基板１０１に取り付ける。この状態で、紫外線を照射することにより、ハブ１０８をディスク状基板１０１に固着させる。
【００１０】
【発明が解決しようとする課題】
しかしながら、上記従来の位置合わせ方法では、個々の媒体に対して光学的な位置合わせを行う必要があるため、精度良くハブを取り付けるために時間がかかり、また、中心合わせを行うための装置に費用がかかる問題があった。そこで、特開昭６４−１４７４７号には、上記課題を解決するため、スタンパを射出成形機に取り付けるためのスタンパ押え板によって、ディスク基板に形成される溝１０３をガイドとして、ディスク状基板１０１とハブ１０８の位置合わせを行う方法が開示されている。しかしながら、この方法では、スタンパ内径とスタンパ押え外径との公差によって取り付け位置のずれが生じ、情報記録領域１０２とハブ１０８の回転中心がずれてしまう欠点があり、このため、スタンパの打ち抜き精度が悪い場合には、偏心が大きくなる問題があった。
本発明は、上記問題を解決するためになされたものであって、その目的は、簡易な方法で精度良くディスク状基板とハブの位置合わせを行い、ハブとの偏心が極めて小さなディスク状情報記録媒体を提供することにある。
【００１１】
【課題を解決するための手段】
この発明は、中央に穴部を有し、表面にその穴と同心の環状の情報記録領域を有するディスク状基板と、前記穴部に嵌合されるハブとを備え、ディスク状基板がその表面にハブの位置決め用の起伏部を有するディスク記録媒体を提供するものである。
【００１２】
【発明の実施の形態】
この発明において、起伏部が、ディスク状基板表面に対して０．１ｍｍ以上の段差を有してもよい。
起伏部が、ディスク状基板表面に形成された凹部であってもよい。
起伏部が、ディスク状基板表面に形成された凸部であってもよい。
起伏部が、穴部と同心に形成され穴部の径より大きい内径を有する環状の溝又は突起であってもよい。
起伏部が、穴部の円周に沿って形成された環状の凹部であってもよい。
起伏部が、穴部の円周に沿って形成された環状の凸部であってもよい。
この発明のディスク状記録媒体を製作するためのスタンパは、前記起伏部に対応する起伏部を有してもよい。
この発明のディスク状記録媒体を製作するためのディスク原盤は、前記起伏部に対応する起伏部を有してもよい。
上記スタンパの形状をさらに加工する打ち抜き装置は、打ち抜き加工部と、打ち抜き加工と同時に前記起伏部をプレス加工で成形するプレス加工部とを備えてもよい。
上記プレス加工部は、スタンパに起伏部を成形する起伏部成形部と、成形される起伏部周縁をスタンパの両面から押圧して保持する保持部を備えることが好ましい。それによって起伏部の形状が精度よく加工され、またその位置精度も向上する。
この発明のディスク記録媒体を製作するためのハブ取り付け装置は、ディスク状基板表面の起伏部に嵌合する位置決め部材を有し、位置決め部材を起伏部に嵌合させながらディスク状基板にハブを取り付けるようにしてもよい。
【００１３】
実施例
以下、図面に示す実施例に基づいてこの発明を詳述する。これによってこの発明が限定されるものではない。
〔第１実施例〕
本発明の第１実施例について図１から図４に基づいて説明すれば、以下のとおりである。
【００１４】
本実施例のディスク状情報記録媒体は、図１に示すように、ディスク状基板１に案内溝またはピット列からなる情報記録領域２が形成され、ディスク状基板１成形時にスタンパを射出成形機に取り付けるためのスタンパ押えによって形成されるスタンパ押え溝３を有している。また、上記スタンパ押え溝３よりも外周、且つ、情報記録領域２よりも内周に、２個所の半球状の凹部４を形成したものである。
【００１５】
また、図２、図３に示すように本実施例のディスク状情報記録媒体にハブ８を取り付けるためのハブ取り付け装置は、ディスク支持台５、ハブ固定部材６、位置決め部材７からなり、ハブ固定部材６にハブ８が保持される。上記位置決め部材７は上記ディスク状基板１とハブ８との位置合わせを行うための部材であり、該位置決め部材７のディスク状基板１と接する面には、上記ディスク状基板１に形成された２個所の半球状の凹部４に対応した位置に、２個所の半球状の凸部９が形成されている。さらに、上記位置決め部材７は、ハブ８をディスク状基板１に取り付けるためのハブ固定部材６と独立に動作することが可能となっている。
【００１６】
本実施例のディスク状情報記録媒体の作製方法は以下のとおりである。
図４には、本実施例に係るディスク状情報記録媒体を作製するためのディスク原盤の斜視模式図を示す。
【００１７】
本実施例では、上記ディスク状情報記録媒体を作製するためのディスク原盤の基材１０として、実施の形態１および２と同様に、石英ガラス円盤を用い、あらかじめ該基材１０の、案内溝またはピット列が形成される情報記録領域２よりも内側に、機械加工によって半球状の凹部４を２個所形成する。２個所の凹部４の深さは何れも０．２ｍｍとする。
【００１８】
なお、上記２個所の凹部４は、ハブ取り付け装置の位置決め部材７に形成されている２個所の凸部９と嵌め合わせ可能な形状であり、上記基材１０に形成された２個所の凹部４中心間の間隔と、上記位置決め部材７に形成されている２個所の凸部９中心間の間隔とは等しくなるように調整されている。
【００１９】
この２個所の凹部４が形成された基材１０を、スピンコータに取り付け、上記２個所の凹部が形成された位置よりも外周側に、感光性ポジ型レジストを１００ｎｍの厚さで一様に塗布する。
ここで、上記感光性ポジ型レジストとは、現像工程によって、光が照射された部分が残り、光が照射されなかった部分が除去されるレジストを表す。
【００２０】
上記感光性ポジ型レジストを乾燥させた後、露光装置に取り付け、螺旋状の案内溝の露光を行う。
ここで、上記２個所の凹部と、上記案内溝が、上記ハブ取り付け装置を用いてハブ８を取り付けた際に、偏心量が小さくなるよう調整して露光装置に取り付ける。
【００２１】
露光を行った基材１０を、現像液で現像することにより、情報記録領域２となる案内溝を得る。
現像後の基材１０、すなわち、ディスク原盤をスパッタ装置に取り付け、Ｎｉ金属膜を５０ｎｍ成膜する。
【００２２】
上記金属膜を電極として、Ｎｉメッキ浴を用いて電鋳を行い、厚さ０．３ｍｍのスタンパを得る。このスタンパにはディスク原盤に形成された２個所の凹部４が転写されたことにより、２個所の凸部が０．２ｍｍの高さで形成される。
【００２３】
上記スタンパを、射出成形を行うための射出成形機の形状に合わせて、内径および外径の打ち抜きを行った後、射出成形機に取り付け、ポリカーボネート等の樹脂を溶融して、成形金型内に流し込み、厚さ０．６ｍｍのディスク状基板１を成形する。ここで、上記スタンパに形成された２個所の凸部は、上記ディスク状基板１上に深さ０．２ｍｍの２個所の凹部４として転写される。
【００２４】
ディスク状基板１に、スパッタ装置を用いて、誘電体膜、金属磁性膜、および反射膜を成膜し、膜を保護するためのバックコート樹脂を塗布することにより、ディスク状情報記録媒体を作製する。
続いて、上記ディスク状情報記録媒体のハブ８取り付け位置（鍔部対向位置）に紫外線硬化等の樹脂を２０μｍの厚さで塗布する。
【００２５】
上記紫外線硬化樹脂の厚さは０．５μｍ以上１００μｍ以下であることが望ましい。樹脂の厚さが、０．５μｍ以下になると、樹脂とハブ８との間の接着力が低下し、ハブ８が脱落する可能性があるとともに、金属製のハブ８を用いた場合にハブ８とディスク状基板１との熱膨張率差を樹脂の弾性力で吸収することができず、ディスク状基板１の反りや複屈折の増加を招く可能性がある。また、樹脂の厚さが１００μｍを超えると、樹脂のはみ出しやハブ８が傾いて固定されてしまう恐れが生じる。
【００２６】
紫外線硬化樹脂を塗布した上記ディスク状情報記録媒体をハブ取り付け装置のディスク支持台５に置く。ハブ取り付け装置のハブ固定部材６には固定されるハブ８が精度良く保持されている。
【００２７】
ハブ８取り付けに当たっては、まず、ハブ取り付け装置の位置決め部材７のみを降下させ、ディスク状基板１に接触させる。ここで、ディスク状基板１に形成された２個所の凹部４と位置決め部材７の２個所の凸部９が噛み合わされることによりハブ８とディスク状基板１との位置合わせが行われる。この位置合わせは、ディスク状基板１側が移動して位置合わせを行う方法であっても、ハブ取り付け装置側が移動して位置合わせを行う方法であっても良い。
位置合わせが完了した後、ハブ固定部材６を降下させ、ハブ８をディスク状基板１に取り付ける。その後、紫外線を照射し、紫外線硬化樹脂を硬化させ固定する。
【００２８】
表１は、本実施例の方法により、位置合わせを行ってハブ８を取り付けたディスク（サンプル＃１）について、ディスクの回転中心と、案内溝の回転中心との位置ずれ、すなわち、偏心量を測定した結果について示している。比較のため、図２２に示した従来形状のディスク状情報記録媒体に、図２５と図２６に示した従来のハブ取り付け装置を用い、光学的な位置合わせを行わずに、ハブ１０８を接着したディスク（比較サンプル＃ｒ１）、および、特開昭６４−１４７４７号に開示されている方法で、従来のディスク状情報記録媒体にスタンパ押え溝１０３を基準に位置合わせを行ったディスク（比較サンプル＃ｒ２）について偏心量を測定した結果について示す。
【００２９】
【表１】
0004293715.tif 000002
【００３０】
従来のハブ取り付け装置を用い、光学的な位置合わせを行わずに、ハブ１０８を接着したディスク（比較サンプル＃ｒ１）においては、ハブ１０８の回転中心と、案内溝の回転中心がずれてしまい、偏心が２２４μｍと大きくなっている。このディスクの案内溝にレーザー光を集中照射しトラッキングサーボを用いて案内溝に追従させたところ、トラッキングサーボの動作限界を超え、追従できなかった。これは、光学的な中心合わせを行わなかったために、ディスク状情報記録媒体の内径と、ハブ１０８のディスク状基板１０１に挿入された部分の外径との間の隙間により、ハブ１０８の回転中心と案内溝の回転中心とがずれたことによるものである。
【００３１】
また、スタンパ押え溝１０３を基準に位置合わせを行ったディスク（比較サンプル＃ｒ２）においても、比較サンプル＃ｒ１よりも偏心量は小さいものの、その偏心量は８０μｍと大きくなっている。このディスクの案内溝にレーザー光を集中照射しトラッキングサーボを用いて案内溝に追従させたところ、トラッキングサーボの動作限界を超え、追従できなかった。これは、スタンパ押え溝１０３を基準とする方法では、偏心量がスタンパの内径打ち抜き精度に依存して大きく変化するためであり、スタンパ内径がスタンパ押えの外径に比して大きくなるとそれに伴って偏心が大きくなってしまうことによるものである。
【００３２】
これに対し、本実施例に示した方法で、ハブ８の位置合わせを行ったディスク（サンプル＃１）においては、偏心量が３６μｍと小さく抑えられている。また、上記サンプル＃１にレーザー光を集中照射しトラッキングサーボを用いて案内溝に追従させたところ、案内溝への追従が可能であることが確認された。これは、案内溝が形成されるディスク原盤に直接、位置合わせの基準となる凹部４を形成したことによるものであり、これにより、ディスク原盤作成の段階で、案内溝と位置合わせの基準となる凹部４との位置を精度良く調整することで、偏心量の小さなハブ付きディスク状記録媒体を作製できることを示している。
【００３３】
また、表２にはディスク状基板１上に形成した２個所の凹部４の深さを変えた際の、ハブ８取り付け後のディスク状情報記録媒体の偏心量を示した。
【００３４】
【表２】
0004293715.tif 000003
【００３５】
比較ディスクＮｏ．２０では、凹部の深さ４が０．０５ｍｍと浅く、ハブ８の位置合わせが十分に行われなかったために、偏心量が８８μｍと大きくなっている。このディスクの案内溝にレーザー光を集中照射しトラッキングサーボを用いて案内溝に追従させたところ、トラッキングサーボの動作限界を超え、追従できなかった。
【００３６】
これに対し、ディスクＮｏ．２１からＮｏ．２４に示した凹部４の深さが０．１ｍｍ以上のディスク状情報記録媒体では、偏心量が４０μｍ以下となり精度の高い位置合わせが行われている。これらのディスクの案内溝にレーザー光を集中照射しトラッキングサーボを用いて案内溝に追従させたところ、案内溝への追従が可能であることが確認された。
これらのことから、凹部４の深さは０．１ｍｍ以上であることが望ましい。
【００３７】
以上のように、ハブ８とディスク状情報記録媒体との中心位置合わせを行うための凹部４を、情報記録領域２との位置ずれが生じないよう、ディスク原盤およびスタンパに形成し、作製されたディスク状情報記録媒体の上記凹部４に対向する位置に、上記凹部４に嵌め合わせることが可能な凸部９を有するハブ取り付け装置を用いれば、光学的な位置合わせを行う必要が無く、スタンパ内径の打ち抜き精度を高めることなく、簡易な方法で精度の高いハブ８の位置合わせを行うことができる。
【００３８】
さらには、形成する凹部４の深さを０．１ｍｍ以上とすることで、より小さな偏心量に抑えることが可能となる。
なお、本実施例ではディスク原盤の基材１０に、あらかじめ機械加工によって凹部４を形成するが、スタンパに凸部が精度良く転写されれば良く、この形成方法に限定されるものではない。
【００３９】
また、本実施例では、半球状の凹部４を２個所形成する例について示したが、位置決め可能な形状、個数であれば良く、これに限定されるものではない。さらには、凹部と凸部を組み合わせても良い。
また、本実施例では、紫外線硬化樹脂を用いたハブ８の接着方法について示したが、本発明の位置合わせ方法を用いれば、ホットメルト法または超音波融着法をもちいたハブ８の取り付けも可能である。
さらに、本実施例では、情報記録領域２の内側に凹部４を形成する例について示したが、情報記録領域２の外側に設けても良い。
【００４０】
〔第２実施例〕
本発明の第２実施例について図５から図８に基づいて説明すれば、以下のとおりである。説明の便宜上、第１実施例において示した部材と同一の機能・構造を有する部材には同一の符号を示し、その説明を省略するものとする。
本実施例のディスク状情報記録媒体は、図５に示すように、ディスク状基板３２上のスタンパ押え溝３よりも外周、且つ、案内溝またはピット列からなる情報記録領域２よりも内周に、２個所の半球状の凸部１１を形成したものである。
【００４１】
また、図６、図７に示すようにディスク状情報記録媒体にハブ８を取り付けるためのハブ取り付け装置には、上記ディスク状基板３２とハブ８との位置合わせを行うための位置決め部材７が取り付けられており、位置決め部材７のディスク状基板３２と接する面には、ディスク状基板３２に形成された２個所の半球状の凸部１１に対応した位置に、２個所の半球状の凹部１２が形成されている。さらに、位置決め部材７は、ハブ８をディスク状基板３２に取り付けるためのハブ固定部材６と独立に動作することが可能となっている。
【００４２】
本実施例のディスク状情報記録媒体の作製方法は以下のとおりである。
図８には、本実施例に係るディスク状情報記録媒体を作製するためのディスク原盤の斜視模式図を示す。
【００４３】
本実施例では、上記ディスク状情報記録媒体を作製するためのディスク原盤の基材１０として、第１実施例と同様に、石英ガラス円盤を用い、あらかじめ該基材１０の、案内溝またはピット列が形成される領域よりも内側に、紫外線硬化樹脂を滴下し固化させることによって半球状の凸部１１を２個所形成する。２個所の凸部１１の高さは何れも０．２ｍｍとする。
【００４４】
なお、２個所の凸部１１は、ハブ取り付け装置の位置決め部材７に形成されている２個所の凹部１２と嵌め合わせ可能な形状であり、上記基材１０に形成された２個所の凸部１１中心間の間隔と、上記位置決め部材７に形成されている２個所の凹部１２中心間の間隔とは等しくなるように調整されている。
【００４５】
この２個所の凸部１１が形成された基材１０を、スピンコータに取り付け、上記２個所の凸部１１が形成された位置よりも外周側に、実施の形態１で用いたものと同じ感光性ポジ型レジストを１００ｎｍの厚さで一様に塗布する。
【００４６】
上記感光性ポジ型レジストを乾燥させた後、第１実施例と同様の方法で、露光、現像を行いディスク原盤を得る。
上記ディスク原盤をスパッタ装置に取り付け、Ｎｉ金属膜を５０ｎｍ成膜する。上記金属膜を電極として、Ｎｉメッキ浴を用いて電鋳を行い、厚さ０．３ｍｍのスタンパを得る。このスタンパにはディスク原盤に形成された２個所の凸部１１が転写されたことにより、２個所の凹部が０．２ｍｍの深さで形成される。
【００４７】
上記スタンパを、射出成形を行うための射出成形機の形状に合わせて、内径および外径の打ち抜きを行った後、射出成形機に取り付け、ポリカーボネート等の樹脂を溶融して、成形金型内に流し込み、厚さ０．６ｍｍのディスク状基板３２を成形する。ここで、上記スタンパに形成された２個所の凹部は、ディスク状基板３２上に高さ０．２ｍｍの２個所の凸部１１として転写される。
【００４８】
ディスク状基板３２に、第１実施例と同様にスパッタ装置を用いて、誘電体膜、金属磁性膜、および反射膜を成膜し、膜を保護するためのバックコート樹脂を塗布することにより、ディスク状情報記録媒体を作製する。
【００４９】
続いて、上記ディスク状情報記録媒体のハブ８取り付け位置（鍔部対向位置）に紫外線硬化等の樹脂を２０μｍの厚さで塗布する。
紫外線硬化樹脂を塗布した上記ディスク状情報記録媒体をハブ取り付け装置のディスク支持台５に置く。ハブ取り付け装置のハブ固定部材６には固定されるハブ８が精度良く保持されている。
【００５０】
ハブ８取り付けに当たっては、まず、ハブ取り付け装置の位置決め部材７のみを降下させ、ディスク状基板３２に接触させる。ここで、ディスク状基板３２に形成された２個所の凸部１１と位置決め部材７の２個所の凹部１２が噛み合わされることによりハブ８とディスク状基板３２との位置合わせが行われる。この位置合わせは、ディスク状基板３２側が移動して位置合わせを行う方法であっても、ハブ取り付け装置側が移動して位置合わせを行う方法であっても良い。
位置合わせが完了した後、ハブ固定部材６を降ろし、ハブ８をディスク状基板３２に取り付けた。その後、紫外線を照射し、紫外線硬化樹脂を硬化させ固定する。
【００５１】
上記の方法により、ハブ８を取り付けたディスク（サンプル＃２）について、偏心量を測定した結果、偏心量は３６μｍと小さく抑えられた。上記サンプル＃２の案内溝にレーザー光を集中照射しトラッキングサーボを用いて案内溝に追従させたところ、案内溝への追従が可能であることが確認された。
【００５２】
以上のように、ハブ８とディスク状情報記録媒体との中心位置合わせを行うための凸部１１を、情報記録領域２との位置ずれが生じないよう、ディスク原盤およびスタンパに形成し、作製されたディスク状情報記録媒体の上記凸部１１に対向する位置に、上記凸部１１に嵌め合わせることが可能な凹部１２を有するハブ取り付け装置を用いれば、光学的な位置合わせを行う必要が無く、スタンパ内径の打ち抜き精度を高めることなく、簡易な方法で精度の高いハブ８の位置合わせを行うことができる。
【００５３】
さらに、形成する凸部１１の高さを０．０５ｍｍから０．４ｍｍまで変化させて、ハブ８取り付け後のディスク状情報記録媒体の偏心量を調べた結果、凸部１１の高さを０．１ｍｍ以上とすることで、偏心量が４０μｍ以下に抑えられ、トラッキングサーボを用いた案内溝への追従が可能なディスク状情報記録媒体を作製できる。
【００５４】
なお、本実施例では、基材１０上に紫外線硬化樹脂を滴下、固化して、凸部１１を形成したが、位置合わせに用いることが出来る凸部１１が形成できれば良く、その材料は紫外線硬化樹脂に限定されるものではない。熱硬化樹脂を用いても良く、凸形状に加工された部材を石英ガラス上に貼り付けても良い。
【００５５】
また、本実施例では、半球状の凸部１１を２個所形成する例について示したが、位置決め可能な形状、個数であれば良く、これに限定されるものではない。さらには、凹部と凸部を組み合わせても良い。
【００５６】
また、本実施例では、紫外線硬化樹脂を用いたハブ８接着方法について示したが、本発明の位置合わせ方法を用いれば、ホットメルト法または超音波融着法をもちいたハブ８の取り付けも可能である。
さらに、本実施例では、情報記録領域２の内側に凸部１１を形成する例について示したが、情報記録領域２の外側に設けても良い。
【００５７】
〔第３実施例〕
本発明の第３実施例について図９から図１２に基づいて説明すれば、以下のとおりである。説明の便宜上、上記実施の形態１および２において示した部材と同一の機能・構造を有する部材には同一の符号を示し、その説明を省略するものとする。
【００５８】
本実施例のディスク状情報記録媒体は、図９に示すように、ディスク状基板３３上のスタンパ押え溝３よりも外周、且つ、案内溝またはピット列からなる情報記録領域２よりも内周に、環状の凹部１３を有するものである。
スタンパを射出成形機に取り付けてディスク状基板３３を成形する射出成形法においては、スタンパを押さえるための部材（スタンパ押え）により、ディスク状基板３３に環状のスタンパ押え溝３ができるが、実施の形態１に示したように、このスタンパ押え溝３は、スタンパの打ち抜き精度や取り付け方によって案内溝やピット列からなる情報記録領域２と位置ずれが生じるため、位置合わせに用いるのには適していない。
【００５９】
本実施例に示した環状の凹部１３は、上記のスタンパ押え溝３とは異なり、第１実施例で示した方法と同様にディスク原盤の基材１０に加工を施すことによって作製されるものである。
また、図１０、図１１に示すように本実施例のディスク状情報記録媒体にハブ８を取り付けるためのハブ取り付け装置には、上記ディスク状情報記録媒体とハブ８との位置合わせを行うための位置決め部材７が取り付けられており、位置決め部材７のディスク状基板３３と接する面には、上記ディスク状基板３３に形成された環状の凹部の対向位置に、３個所の半球状の凸部１４が形成されている。さらに、上記位置決め部材７は、ハブ８をディスク状基板３３に取り付けるためのハブ固定部材６と独立に動作することが可能となっている。
【００６０】
本実施例のディスク状情報記録媒体の作製方法は以下のとおりである。
図１２には、本実施例に係るディスク状情報記録媒体を作製するためのディスク原盤の斜視模式図を示す。
本実施例では、上記ディスク状情報記録媒体を作製するためのディスク原盤の基材１０として、実施の形態１および２と同様に、石英ガラス円盤を用い、あらかじめ該基材１０の、案内溝またはピット列が形成される領域よりも内側に、機械加工によって環状の凹部１３を形成する。環状の凹部の深さは０．２ｍｍとする。
【００６１】
環状の凹部１３の深さは、（ディスク状基板３３の厚さ）−０．２ｍｍ以下とすることが望ましい。これよりも凹部１３の深さが深くなると、ディスク状基板３３を射出成形法によって成形するにあたり、金型内に樹脂を流し込んだ際、樹脂の流路が狭くなり転写不良や、複屈折の増大を招く恐れがある。
【００６２】
なお、環状の凹部１３は、ハブ取り付け装置の位置決め部材７に形成されている３個所の半球状の凸部１４と嵌め合わせ可能な形状であり、位置決め部材７に形成されている３個所の凸部１４はハブ８取り付け時に基材１０に形成された環状の凹部１３上に位置するように調整されている。
この環状の凹部１３が形成された基材１０を、スピンコータに取り付け、２個所の凹部１３が形成された位置よりも外周側に、第１および第２実施例で用いたものと同じ感光性ポジ型レジストを１００ｎｍの厚さで一様に塗布する。
【００６３】
上記感光性ポジ型レジストを乾燥させた後、第１実施例に示した方法と同様の方法で、露光、現像を行いディスク原盤を得る。
上記ディスク原盤をスパッタ装置に取り付け、Ｎｉ金属膜を５０ｎｍ成膜する。
上記金属膜を電極として、Ｎｉメッキ浴を用いて電鋳を行い、厚さ０．３ｍｍのスタンパを得る。このスタンパにはディスク原盤に形成された環状の凹部１３が転写されたことにより、環状の凸部が０．２ｍｍの高さで形成される。
【００６４】
上記スタンパを、射出成形を行うための射出成形機の形状に合わせて、内径および外径の打ち抜きを行った後、射出成形機に取り付け、ポリカーボネート等の樹脂を溶融して、成形金型内に流し込み、厚さ０．６ｍｍのディスク状基板３３を成形する。ここで、上記スタンパに形成された環状の凸部は、上記ディスク状基板３３上に深さ０．２ｍｍの環状の凹部１３として転写される。
【００６５】
ディスク状基板３３に、第１実施例と同様にスパッタ装置を用いて、誘電体膜、金属磁性膜、および反射膜を成膜し、膜を保護するためのバックコート樹脂を塗布することにより、ディスク状情報記録媒体を作製する。
【００６６】
続いて、上記ディスク状情報記録媒体のハブ８取り付け位置（鍔部対向位置）に紫外線硬化等の樹脂を２０μｍの厚さで塗布する。
紫外線硬化樹脂を塗布した上記ディスク状情報記録媒体をハブ８取り付け装置のディスク支持台５に置く。ハブ取り付け装置のハブ固定部材６には固定されるハブ８が精度良く保持されている。
【００６７】
ハブ８取り付けに当たっては、まず、ハブ取り付け装置の位置決め部材７のみを降下させ、ディスク状基板３３に接触させる。ここで、ディスク状基板３３に形成された環状の凹部１３と位置決め部材７の３個所の凸部１４とが嵌合されることによりハブ８とディスク状基板３３との位置合わせが行われる。この位置合わせは、ディスク状基板３３側が移動して位置合わせを行う方法であっても、ハブ取り付け装置側が移動して位置合わせを行う方法であっても良い。
【００６８】
ここで、ディスク状基板３３上に環状の凹部が形成されているため、ディスク状基板３３をハブ取り付け装置の支持台に置く際、ディスク状基板３３が回転してもディスク状基板３３とハブ取り付け装置の位置合わせ部材との位置合わせを精度良く行うことができる。
位置合わせが完了した後、ハブ固定部材６を降ろし、ハブ８をディスク状基板３３に取り付ける。その後、紫外線を照射し、紫外線硬化樹脂を硬化させ固定する。
【００６９】
上記の方法により、ハブ８を取り付けたディスク（サンプル＃３）について、偏心量を測定した結果、偏心量は３２μｍと小さく抑えられた。第１および第２実施例で作製したディスク状情報記録媒体に比べて、偏心量が小さくなっているが、これは、ハブ取り付け装置の位置決め部材７に形成される凸部１４の個数を３個所としたことで、位置合わせ精度が高まったことによるものである。
上記サンプル＃３の案内溝にレーザー光を集中照射しトラッキングサーボを用いて案内溝に追従させたところ、案内溝への追従が可能であることが確認された。
【００７０】
以上のように、ハブ８とディスク状情報記録媒体との中心位置合わせを行うための環状の凹部１３を、情報記録領域２との位置ずれが生じないよう、ディスク原盤およびスタンパに形成し、作製されたディスク状情報記録媒体の上記環状の凹部１３に対向する位置に、上記凹部１３に嵌め合わせることが可能な凸部１４を有するハブ取り付け装置を用いれば、光学的な位置合わせを行う必要が無く、スタンパ内径の打ち抜き精度を高めることなく、簡易な方法で精度の高いハブ８の位置合わせを行うことができる。
【００７１】
さらに、形成する環状の凹部１３の高さを０．０５ｍｍから０．４ｍｍまで変化させて、ハブ８取り付け後のディスク状情報記録媒体の偏心量を調べた結果、環状の凹部１３の深さを０．１ｍｍ以上とすることで、偏心量が４０μｍ以下に抑えられ、トラッキングサーボを用いた案内溝への追従が可能なディスク状情報記録媒体を作製できた。
【００７２】
なお、本実施例では、ディスク状基板３３に環状の凹部１３を形成する方法について示したが、ディスク状基板３３に環状の凸部を形成し、ハブ取り付け装置の位置決め部材７に、上記環状の凸部に対応した凹部を形成することによっても偏心量を小さくすることが可能である。
【００７３】
例えば、基材１０上に紫外線硬化樹脂を滴下して高さ０．２ｍｍの上記環状の凸部を形成し、本実施例に示した方法でディスク状情報記録媒体を作製し、ハブ８を取り付けたところ、偏心量は３４μｍと小さく抑えられた。
なお、本実施例では、環状の凹部または凸部を１つ形成する例について示したが、２つ以上形成しても良い。さらには、凹部と凸部を組み合わせても良い。
【００７４】
また、本実施例では、ハブ取り付け装置の位置決め部材７に半球状の３個所の凸部１４を形成したが、精度良く位置決めが行われる形状、個数であれば良くこれに限定されるものではない。
また、本実施例では、紫外線硬化樹脂を用いたハブ８接着方法について示したが、本発明の位置合わせ方法を用いれば、ホットメルト法または超音波融着法をもちいたハブ８の取り付けも可能である。
さらに、本実施例では、情報記録領域２の内側に環状の凹部または凸部を形成する例について示したが、情報記録領域２の外側に設けても良い。
【００７５】
〔第４実施例〕
本発明の第４実施例について図１３に基づいて説明すれば、以下のとおりである。説明の便宜上、上記各実施例において示した部材と同一の機能・構造を有する部材には同一の符号を示し、その説明を省略するものとする。
本実施例に示すディスク状情報記録媒体は、第１実施例で示したディスク状情報記録媒体、すなわち、ディスク状基板１上のスタンパ押え溝３よりも外周、且つ、案内溝またはピット列からなる情報記録領域２よりも内周に、２個所の半球状の凹部４を形成したディスク状情報記録媒体において、２個所の凹部４を、スタンパを加工することによって形成したものである。
【００７６】
第１実施例では基材１０上に機械加工を行うことにより、２個所の凹部４を形成したが、本実施例では、基材１０には加工を行わず、スタンパ作製までを従来の方法と同様の方法で行う。すなわち、ポジ型感光性レジストの塗布、露光、現像、Ｎｉ膜形成、および、電鋳を行ってスタンパを作製する。
続いて、上記スタンパを図１３に示すようなスタンパ内径打ち抜き金型を用いることによって、スタンパに２個所の凸部を形成する。
【００７７】
図１３に示すように、ディスク状情報記録媒体を作製するためのスタンパ内径打ち抜き装置は、上平板１５、下平板１６、スタンパ固定台１７、スタンパ上面押え部材１８、内径打ち抜き内部材１９、内径打ち抜き外部材２０、押し込み加工部材２１およびバネ部２２からなり、上部平板１５に対して荷重を加えることにより、スタンパ２３の内径を打ち抜く装置である。
押し込み加工部材２１のスタンパ２３と接触する面には２個所の凸部２４が形成されており、スタンパ上面押え部材１８の対向位置には２個所の凹部２５が形成されている。
【００７８】
スタンパ２３の内径打ち抜きにあたっては、まず、上記内径打ち抜き外部材２０と、上記スタンパ２３に形成された案内溝との回転中心を、光学的手法を用いて合わせ、スタンパ２３を固定台に固定する。
【００７９】
次に、上平板１５に油圧プレス機で荷重を加えることで、スタンパ上面押え部材１８をスタンパに押し付け、情報記録領域２よりも内側の領域を押さえつけてスタンパ２３がずれないように保持する。さらに、上平板１５に荷重を加えると、内径打ち抜き内部材１９が下がり、スタンパ２２の内径が打ち抜かれる。
このとき、押し込み加工部材２１が押し上げられ、２個所の凸部２４と２個所の凹部２５が噛み合うことにより、スタンパ２３の内径が打ち抜かれると同時にスタンパ２３に凸部が形成される。
【００８０】
本実施例のスタンパ内径打ち抜き装置では、押し込み加工部材２１の内外周部がスタンパを押さえつける保持部材となっているため、スタンパの変形がなく、ハブ８取り付け時に位置合わせの基準となる凸部を良好な形状に形成することができる。
上記スタンパを用い、第１実施例に示した方法と同様の方法で、ディスク状基板１の成形、成膜、保護樹脂のコーティング、および、ハブ８の取り付けを行い、ディスク状情報記録媒体を作製する。
【００８１】
上記工程により作製されたディスク（サンプル＃４）の偏心量を測定した結果、３０μｍと偏心量が小さなディスク状記録媒体が形成され、上記サンプル＃４の案内溝にレーザー光を集中照射し、トラッキングサーボを用いて案内溝に追従させたところ、案内溝への追従が可能であることが確認された。
【００８２】
以上のように、ハブ８とディスク状情報記録媒体との中心位置合わせを行うための環状の凸部を、情報記録領域２との位置ずれが生じないよう、スタンパに形成し、作製されたディスク状情報記録媒体の上記凸部に対向する位置に、上記凸部に嵌め合わせることが可能な凹部を有するハブ取り付け装置を用いれば、光学的な位置合わせを行う必要が無く、スタンパ内径の打ち抜き精度を高めることなく、簡易な方法で精度の高いハブ８の位置合わせを行うことができる。
【００８３】
本実施例では、内径打ち抜き装置の一部に凹凸を設けて、スタンパ内径を打ち抜くと同時に、スタンパの非記録領域にハブ８取り付け時の位置合わせ基準となる凹凸を形成したが、外径打ち抜き装置に上記凹凸部を設けても良く、また内外径を同時に打ち抜くことが出来る金型に設けても良い。
【００８４】
また、本実施例では、スタンパ２３の案内溝が形成された面側を凸部とするために内径打ち抜き装置のスタンパ固定台１７側に、押し込み加工部材２１を設け、押し込み加工部材２１がスタンパと接触する面に凸部２４を設けたが、スタンパ２３の案内溝が形成された面側を凹部とする場合には、押し込み加工部材２１を設ける必要はなく、スタンパ固定台１７に凹部を形成し、スタンパ上面押え部材１８に凸部を形成すれば良い。
【００８５】
また、本実施例では、２個所の凸部を形成する方法について示したが、位置決め可能な形状、個数であれば良く、これに限定されるものではない。
また、本実施例に示した、内径打ち抜き装置を用いずに、内径および外径を打ち抜く前、または打ち抜き後に押し出し加工または切削によってスタンパに凹部または凸部を形成する方法も可能であるが、情報記録領域２との位置関係を精度良く合わせることが難しく、また、工程数が増える問題が生じる。
【００８６】
〔第５実施例〕
本発明の第５実施例について図１４から図１７に基づいて説明すれば、以下のとおりである。説明の便宜上、前記各実施例において示した部材と同一の機能・構造を有する部材には同一の符号を示し、その説明を省略するものとする。
図１４に示すように本実施例に示すディスク状情報記録媒体は、情報記録領域２が形成された面の、スタンパ押え溝３よりも外周側、且つ、情報記録領域２よりも内周側に段差部２６を有し、段差部２６よりも内周側の基板厚が薄くなっているディスク状情報記録媒体である。
【００８７】
また、図１５、図１６に示すように本実施例のディスク状情報記録媒体にハブ８を取り付けるためのハブ取り付け装置には、上記ディスク状情報記録媒体とハブ８との位置合わせを行うための位置決め部材７が取り付けられており、位置決め部材７のディスク状基板３４と接する面には、ディスク状基板３４に形成された段差部２６に対応した位置に、鋸型の凸部２７が形成されている。さらに、上記位置決め部材７は、ハブ８をディスク状基板３４に取り付けるためのハブ固定部材６と独立に動作することが可能となっている。
【００８８】
本実施例に示すディスク状情報記録媒体の作製方法は以下のとおりである。
図１７には、ディスク状情報記録媒体を作製するためのディスク原盤の斜視模式図を示す。
本実施例では、上記ディスク状情報記録媒体を作製するためのディスク原盤の基材１０として、前記各実施例と同様に、石英ガラス円盤を用い、案内溝またはピット列が形成される領域よりも内側を機械加工によって同心円状に０．２ｍｍ研削し、基材１０内周部に段差部２６を形成する。
なお、上記段差部２６は、ハブ取り付け装置の位置決め部材７による位置合わせを行う際に、該位置合わせ部材に形成されている鋸形の凸部２７のテーパ部２８と接触するように位置が調整されている。
【００８９】
この２個所の凹部が形成された基材１０を、スピンコータに取り付け、段差部２６が形成された位置よりも外周側に、感光性ポジ型レジストを１００ｎｍの厚さで一様に塗布する。
露光を行った基材１０を、現像液で現像することにより、情報記録領域２となる案内溝を得る。
現像後の基材１０、すなわち、ディスク原盤をスパッタ装置に取り付け、Ｎｉ金属膜を５０ｎｍ成膜する。
【００９０】
上記金属膜を電極として、Ｎｉメッキ浴を用いて電鋳を行い、厚さ０．６ｍｍのスタンパを得る。このスタンパにはディスク原盤に形成された段差部２６が転写されたことにより、段差部２６よりも内周側が、外周側に比べて、案内溝が形成された面側に０．２ｍｍ高く形成される。
上記スタンパの案内溝が形成された面と反対側の面を０．２ｍｍ研磨することにより、段差部２６よりも内周側が、０．４ｍｍと厚く、段差部２６よりも外周側が０．２ｍｍと薄いスタンパを作製する。
【００９１】
上記スタンパを、射出成形を行うための射出成形機の形状に合わせて、内径および外径の打ち抜きを行った後、射出成形機に取り付け、ポリカーボネート等の樹脂を溶融して、成形金型内に流し込み、段差部よりも内周側が、０．４ｍｍと薄く、段差部よりも外周側が０．６ｍｍと厚いディスク状基板３４を成形する。ディスク状基板３４に、前記各実施例と同様に、スパッタ装置を用いて、誘電体膜、金属磁性膜、および反射膜を成膜し、膜を保護するためのバックコート樹脂を塗布することにより、ディスク状情報記録媒体を作製する。
【００９２】
続いて、上記ディスク状情報記録媒体のハブ取り付け位置（鍔部対向位置）に紫外線硬化樹脂を２０μｍの厚さで塗布する。
紫外線硬化樹脂を塗布した上記ディスク状情報記録媒体をハブ取り付け装置のディスク支持台５に置く。ハブ取り付け装置のハブ固定部材６には固定されるハブ８が精度良く保持されている。
【００９３】
ハブ８取り付けに当たっては、まず、ハブ取り付け装置の位置決め部材７のみを降下させ、位置決め部材７のテーパ部２８をディスク状基板３４の段差部２６に接触させる。これにより、ハブ８とディスク状基板３５との位置合わせが行われる。この位置合わせは、ディスク状基板３４側が移動して位置合わせを行う方法であっても、ハブ取り付け装置側が移動して位置合わせを行う方法であっても良い。
位置合わせが完了した後、ハブ固定部材６を降ろし、ハブ８をディスク状基板３４に取り付ける。その後、紫外線を照射し、紫外線硬化樹脂を硬化させ固定する。
【００９４】
上記工程により作製されたディスク（サンプル＃５）の偏心量を測定した結果、偏心量が２８μｍと極めて小さく抑えられた。上記サンプル＃５の案内溝にレーザー光を集中照射しトラッキングサーボを用いて案内溝に追従させたところ、案内溝への追従が可能であることが確認された。
【００９５】
以上のように、ハブ８とディスク状情報記録媒体との中心位置合わせを行うための段差部２６を、情報記録領域２との位置ずれが生じないよう、ディスク原盤およびスタンパに形成し、作製されたディスク状情報記録媒体の上記段差部２６に対向する位置に、上記段差部２６と接触するテーパ部２８を有するハブ取り付け装置を用いれば、光学的な位置合わせを行う必要が無く、スタンパ内径の打ち抜き精度を高めることなく、簡易な方法で精度の高いハブ８の位置合わせを行うことができる。
【００９６】
なお、本実施例では、情報記録領域２の内側に段差部２６を形成する例について示したが、情報記録領域２の外側に設けても良い。
また、本実施例では、段差部２６にテーパ部２８を接触させて位置合わせを行ったが、段差部２６およぶテーパ部２８の何れも、位置合わせが可能な形状であれば良く、これに限定されるものではない。
また、本実施例では、ディスク原盤の基材１０上に段差部２６を形成したが、基材１０には段差部２６を設けず、スタンパに段差部２６を設ける方法でも良い。
【００９７】
〔第６実施例〕
本発明の第６実施例について図１８から図２１に基づいて説明すれば、以下のとおりである。説明の便宜上、前記各実施例において示した部材と同一の機能・構造を有する部材には同一の符号を示し、その説明を省略するものとする。
図１８に示すように本実施例のディスク状情報記録媒体は、情報記録領域２が形成された面の、スタンパ押え溝３よりも外周側、且つ、情報記録領域２よりも内周側に段差部２９を有し、段差部２９よりも内周側の基板厚が厚くなっているディスク状情報記録媒体である。
【００９８】
また、図１９、図２０に示すようにディスク状情報記録媒体にハブ８を取り付けるためのハブ取り付け装置には、上記ディスク状情報記録媒体とハブ８との位置合わせを行うための位置決め部材７が取り付けられており、位置決め部材７のディスク状基板３５と接する面には、上記ディスク状基板３５に形成された段差部２９に対応した位置に、鋸型の凸部３０が形成されている。さらに、位置決め部材７は、ハブ８をディスク状基板３５に取り付けるためのハブ固定部材６と独立に動作することが可能となっている。
【００９９】
ディスク状情報記録媒体の作製方法は以下のとおりである。
図２１には、ディスク状情報記録媒体を作製するためのディスク原盤の斜視模式図を示す。
【０１００】
本実施例では、上記ディスク状情報記録媒体を作製するためのディスク原盤の基材１０として、前記各実施例と同様に、石英ガラス円盤を用い、案内溝またはピット列が形成される領域よりも内側に厚さ０．２ｍｍの石英ガラス製の円盤を紫外線硬化樹脂を用いて貼り付けて段差部２９を形成する。この時、基材１０の貼り付け面を機械加工によって切削し、同心円状の溝を複数作製する。この溝に紫外線硬化樹脂を流し込み、基材１０を貼り付けることで、樹脂のはみ出しや盛り上がりによる高さずれや傾斜を防ぐ。
なお、段差部２９は、ハブ取り付け装置の位置決め部材７による位置合わせを行う際に、該位置合わせ部材に形成されている鋸形の凸部３０のテーパ部３１と接触するように位置が調整されている。
【０１０１】
この２個所の凹部が形成された基材１０を、スピンコータに取り付け、段差部２９が形成された位置よりも外周側に、感光性ポジ型レジストを１００ｎｍの厚さで一様に塗布する。
露光を行った基材１０を、現像液で現像することにより、情報記録領域２となる案内溝を得る。
【０１０２】
現像後の基材１０、すなわち、ディスク原盤をスパッタ装置に取り付け、Ｎｉ金属膜を５０ｎｍ成膜する。
上記金属膜を電極として、Ｎｉメッキ浴を用いて電鋳を行い、厚さ０．６ｍｍのスタンパを得る。このスタンパにはディスク原盤に形成された段差部２９が転写されたことにより、段差部２９よりも外周側が、内周側に比べて、案内溝が形成された面側に０．２ｍｍ高く形成される。
【０１０３】
上記スタンパの案内溝が形成された面と反対側の面を０．２ｍｍ研磨することにより、段差部２９よりも内周側が、０．２ｍｍと薄く、段差部２９よりも外周側が０．４ｍｍと厚いスタンパを作製する。
上記スタンパを、射出成形を行うための射出成形機の形状に合わせて、内径および外径の打ち抜きを行った後、射出成形機に取り付け、ポリカーボネート等の樹脂を溶融して、成形金型内に流し込み、段差部よりも内周側が、０．８ｍｍと厚く、段差部よりも外周側が０．６ｍｍと薄いディスク状基板３５を成形する。
【０１０４】
ディスク状基板３５に、前記各実施例と同様に、スパッタ装置を用いて、誘電体膜、金属磁性膜、および反射膜を成膜し、膜を保護するためのバックコート樹脂を塗布することにより、ディスク状情報記録媒体を作製する。
続いて、上記ディスク状情報記録媒体のハブ取り付け位置（鍔部対向位置）に紫外線硬化樹脂を２０μｍの厚さで塗布する。
【０１０５】
紫外線硬化樹脂を塗布した上記ディスク状情報記録媒体をハブ取り付け装置のディスク支持台５に置く。ハブ取り付け装置のハブ固定部材６には固定されるハブ８が精度良く保持されている。
【０１０６】
ハブ８取り付けに当たっては、まず、ハブ取り付け装置の位置決め部材７のみを降下させ、位置決め部材７のテーパ部３１をディスク状基板３５の段差部２９に接触させる。これにより、ハブ８とディスク状基板３５との位置合わせが行われる。この位置合わせは、ディスク状基板３５側が移動して位置合わせを行う方法であっても、ハブ取り付け装置側が移動して位置合わせを行う方法であっても良い。
位置合わせが完了した後、ハブ固定部材６を降ろし、ハブ８をディスク状基板３５に取り付けた。その後、紫外線を照射し、紫外線硬化樹脂を硬化させ固定する。
【０１０７】
上記工程により作製されたディスク（サンプル＃６）の偏心量を測定した結果、偏心量が２８μｍと極めて小さく抑えられた。上記サンプル＃６の案内溝にレーザー光を集中照射しトラッキングサーボを用いて案内溝に追従させたところ、案内溝への追従が可能であることが確認された。
さらに、サンプル＃６においては、段差部２９よりも内側の基板厚が厚いことにより、ディスク回転時の面振れ量が２０μｍと、サンプル＃１からサンプル＃５に示したディスク状情報記録媒体に比べて２０μｍ程度小さくなっていることが確認された。
【０１０８】
以上のように、ハブ８とディスク状情報記録媒体との中心位置合わせを行うための段差部２９を、情報記録領域２との位置ずれが生じないよう、ディスク原盤およびスタンパに形成し、作製されたディスク状情報記録媒体の上記段差部２９に対向する位置に、段差部２９と接触するテーパ部３１を有するハブ取り付け装置を用いれば、光学的な位置合わせを行う必要が無く、スタンパ内径の打ち抜き精度を高めることなく、簡易な方法で精度の高いハブ８の位置合わせを行うことができる。
なお、本実施例では、情報記録領域２の内側に段差部２９を形成する例について示したが、情報記録領域２の外側に設けても良い。
【０１０９】
また、本実施例では、段差部２９にテーパ部３１を接触させて位置合わせを行ったが、段差部２９およぶテーパ部３１の何れも、位置合わせが可能な形状であれば良く、これに限定されるものではない。
また、本実施例では、ディスク原盤の基材１０上に段差部２９を形成したが、基材１０には段差部２９を設けず、スタンパに段差部２９を設ける方法でも良い。
【０１１０】
【発明の効果】
この発明によれば、ディスク状基板の起伏部にハブ取り付け装置の位置決め部材を嵌合することにより、簡易な方法でハブとディスク状基板との中心位置合わせを行うことができるため、製造工程を簡略化することができるとともに、偏心量の小さなディスク状情報記録媒体が得られる。
【図面の簡単な説明】
【図１】本発明の第１実施例にかかるディスク状情報記録媒体の斜視模式図である。
【図２】第１実施例に用いるハブ取付け装置の要部下面図である。
【図３】第１実施例に用いるハブ取付け装置の部分断面側面図である。
【図４】図１に示すディスク状情報記録媒体を作製するためのディスク原盤の斜視模式図である。
【図５】本発明の第２実施例にかかるディスク状情報記録媒体の斜視模式図である。
【図６】第２実施例に用いるハブ取付け装置の要部下面図である。
【図７】第２実施例に用いるハブ取付け装置の部分断面側面図である。
【図８】図５に示すディスク状情報記録媒体を作製するためのディスク原盤の斜視模式図である。
【図９】本発明の第３実施例にかかるディスク状情報記録媒体の斜視模式図である。
【図１０】第３実施例に用いるハブ取付け装置の要部下面図である。
【図１１】第３実施例に用いるハブ取付け装置の部分断面側面図である。
【図１２】図９に示すディスク状情報記録媒体を作製するためのディスク原盤の斜視模式図である。
【図１３】本発明の第４実施例にかかるディスク状情報記録媒体を作製するためのスタンパの内径を打ち抜くための、内径打ち抜き装置の断面模式図である。
【図１４】本発明の第５実施例にかかるディスク状情報記録媒体の斜視模式図である。
【図１５】第５実施例に用いるハブ取付け装置の要部下面図である。
【図１６】第５実施例に用いるハブ取付け装置の部分断面側面図である。
【図１７】図１４に示すディスク状情報記録媒体を作製するためのディスク原盤の斜視模式図である。
【図１８】本発明の第６実施例にかかるディスク状情報記録媒体の斜視模式図である。
【図１９】第６実施例に用いるハブ取付け装置の要部下面図である。
【図２０】第６実施例に用いるハブ取付け装置の部分断面側面図である。
【図２１】図１８に示すディスク状情報記録媒体を作製するためのディスク原盤の斜視模式図である。
【図２２】従来のディスク状情報記録媒体の斜視模式図である。
【図２３】図２２に示す従来のディスク状情報記録媒体を作製するためのディスク原盤の斜視模式図である。
【図２４】図２２に示す従来のディスク状情報記録媒体にハブを取り付けた媒体の断面模式図である。
【図２５】図２２に示す従来のディスク状情報記録媒体にハブを取り付けるためのハブ取付け装置の要部下面図である。
【図２６】従来のハブ取付け装置の部分断面側面図である。
【符号の説明】
１，３２，３３，３４，３５  ディスク状基板
２  情報記録領域
３  スタンパ押え溝
４，１２，２５  凹部
５  ディスク支持台
６  ハブ固定部材
７  位置決め部材
８  ハブ
９，１１，１４，２４  凸部
１０  基材
１３  環状の凹部
１５  上平板
１６  下平板
１７  スタンパ固定台
１８  スタンパ上面押え部材
１９  内径打ち抜き内部材
２０  内径打ち抜き外部材
２１  押し込み加工部材
２２  バネ部
２３  スタンパ
２６，２９  段差部
２７，３０  鋸型の凸部
２８，３１  テーパ部
【図１】
0004293715.tif 000004
【図２】
0004293715.tif 000005
【図３】
0004293715.tif 000006
【図４】
0004293715.tif 000007
【図５】
0004293715.tif 000008
【図６】
0004293715.tif 000009
【図７】
0004293715.tif 000010
【図８】
0004293715.tif 000011
【図９】
0004293715.tif 000012
【図１０】
0004293715.tif 000013
【図１１】
0004293715.tif 000014
【図１２】
0004293715.tif 000015
【図１３】
0004293715.tif 000016
【図１４】
0004293715.tif 000017
【図１５】
0004293715.tif 000018
【図１６】
0004293715.tif 000019
【図１７】
0004293715.tif 000020
【図１８】
0004293715.tif 000021
【図１９】
0004293715.tif 000022
【図２０】
0004293715.tif 000023
【図２１】
0004293715.tif 000024
【図２２】
0004293715.tif 000025
【図２３】
0004293715.tif 000026
【図２４】
0004293715.tif 000027
【図２５】
0004293715.tif 000028
【図２６】
0004293715.tif 000029